(57)【要約】【課題】  避難所用の広い部屋（空間）を小さい区画（空間）に仕切るユニット体、およびこれを利用した避難所用間仕切り構造を提供すること。【解決手段】  第一発明では、広幅・長尺の段ボールの面に、長さ方向に沿って一定幅で交互に谷折りおよび山折り可能にされた折り目が設けられてなる単位を一単位体とし、複数の単位体が順次連接されてなることを特徴とする、避難所用間仕切りユニット体を要旨とし、第二発明では、これを利用した避難所用間仕切り構造を要旨とする。【選択図】  図５
2006274740.tif 000002
【特許請求の範囲】
【請求項１】
広幅・長尺の段ボールの面に、長さ方向に沿って一定幅で交互に谷折りおよび山折り可能にされた折り目が設けられてなる単位を一単位体とし、複数の単位体が順次連接されてなることを特徴とする、避難所用間仕切りユニット体。
【請求項２】
段ボールが、幅１００〜２００ｃｍ、長さ２００〜５００ｃｍ、厚さ３〜１０ｍｍとされ、相互に隣り合う折り目の間隔が３０〜５０ｃｍとされてなる、請求項１に記載の避難所用間仕切りユニット板。
【請求項３】
段ボールの少なくとも一方の表面に、マイナスイオンインク、難燃剤、消臭剤、芳香剤の中から選ばれた一種以上が塗布されてなる、請求項１または請求項２に記載の避難所用間仕切りユニット体。
【請求項４】
避難所用間仕切りユニットは、不使用時には折り目で谷折りして屏風状に折畳み可能にされてなる、請求項１ないし請求項３のいずれか一項に記載の避難所用間仕切りユニット体。
【請求項５】
請求項１ないし請求項４に記載の複数の避難所用間仕切りユニット体によって構成される避難所用間仕切り構造において、避難所用間仕切りユニット体の一単位体の幅方向一端を床面に接触させ、かつ、各折り目の角度を４５〜１２０度に開いて立設させて、少なくとも三個のユニット体によって平面形状を多角形とし、相互に隣り合うユニット体の長さ方向端部を接着テープによって接合し、所望のユニット体の長さ方向端部に折戸が形成されてなることを特徴とする、避難所用間仕切り構造。
【発明の詳細な説明】
【技術分野】
【０００１】
本発明は、避難所用間仕切りユニット体、およびこれを利用した避難所用間仕切り構造に関する。さらに詳しくは、避難所用の広い部屋（空間）を小さい区画（空間）に仕切るユニット体、およびこれを利用した避難所用間仕切り構造に関する。
【背景技術】
【０００２】
広い地域に水害、地震、火災などの災害が発生した際に、多くの被災者は主として学校、体育館、公民館などの公共施設に避難することになる。この種公共施設では、広い部屋（空間）に多くの家族が一同に起居（寝起き）することになるので、プライバシーは確保できず、避難が長期にわたると被災者は精神的な苦痛とストレスに悩まされ、場合によっては病気になることがある。
【０００３】
このような場合、広い部屋（空間）を板状の間仕切りによって仕切ることが好ましいが、従来から提案され実用化されている板状の間仕切りは、嵩張り、重量が大であり、避難所用の広い部屋（空間）への搬送作業、敷設（組立）作業、取外し（解体）作業などが繁雑であるという欠点があるばかりでなく、敷設作業、取外し作業などに時間がかかる、高価であるという欠点がある。また、釘などの固定具を使用することが多いので、避難所の床面に傷をつけたりするという欠点がある。
【０００４】
上記欠点を改良した技術として、従来の板状の間仕切りを段ボールに替える技術が検討され、提案されている（特許文献１参照）。しかしここに提案されている技術は、一定の長さに切断した狭幅長尺の段ボールを、幅方向端部同士を突合せ接合して広幅とし、平板状にして立設させるものである。間仕切り板を段ボールに替えることによって、重量は軽くされるが、事前に、長さ方向の両端（上下）に凹凸を形成する作業のほか、上部連結部材、下部連結部材、コーナー連結部材などを作成する必要がある。また、多くの部材があるため、これら部材の管理などが繁雑であるばかりでなく、敷設、解体作業などもまた煩雑であるという欠点がある。
【特許文献１】特開２００３−１２９５９３
【発明の開示】
【発明が解決しようとする課題】
【０００５】
本発明者は、かかる状況に鑑み、従来技術の上記の諸欠点を排除した改良技術を提供すべく鋭意検討した結果、本発明を完成するに至ったものである。本発明の目的は、次のとおりである。
１．部材数がすくなく、製作、梱包、輸送、搬送、敷設（組立）作業、取外し作業など作業などが簡単で、短時間に敷設、取外し作業ができる避難所用間仕切りユニット体を提供すること。
２．避難所用の広い部屋（空間）への搬送作業、敷設作業、取外し作業などが簡単な、避難所用間仕切り構造を提供すること。
【課題を解決するための手段】
【０００６】
上記課題を解決するために、第一発明では、広幅・長尺の段ボールの面に、長さ方向に沿って一定幅で交互に谷折りおよび山折り可能にされた折り目が設けられてなる単位を一単位体とし、複数の単位体が順次連接されてなることを特徴とする、避難所用間仕切りユニット体を提供する。
【０００７】
さらに第二発明では、第一発明に係る複数の避難所用間仕切りユニット体によって構成される避難所用間仕切り構造において、避難所用間仕切りユニット体の一単位体の幅方向一端を床面に接触させ、かつ、各折り目の角度を４５〜１２０度に開いて立設させて、少なくとも三個のユニット体によって平面形状を多角形とし、相互に隣り合うユニット体の長さ方向端部を接着テープによって接合し、所望のユニット体の長さ方向端部に折戸が形成されてなることを特徴とする、避難所用間仕切り構造を提供する。
【発明の効果】
【０００８】
本発明は、以下に詳細に説明するとおりであり、次のような特別に有利な効果を奏し、その産業上の利用価値は極めて大である。
１．本発明に係る避難所用間仕切りユニット体は、段ボールによって構成されているので、従来の間仕切り状と比較して、軽量で、嵩張らず、かつ、安価である。
２．本発明に係る避難所用間仕切りユニット体は、段ボールの幅、長さ、厚さ、相互に隣り合う折り目の間隔、折り目の開き角度などを選ぶことにより、間仕切りされた居住空間の広さ（大きさ）を種々変えることができ、多様な要望に応えることができる。
３．本発明に係る避難所用間仕切りユニット体は、部材の数が少ないので、製作、梱包、保管、輸送、敷設（組立）、取外し（解体）などの各種作業が極めて容易である。
４．本発明に係る避難所用間仕切りユニット体は、敷設時に釘などの固定具を使用しないので、敷設場所の床面に傷を付けることがない。
５．本発明に係る避難所用間仕切りユニット体は、不使用時には嵩張らないように折畳んで体積を減らして保管でき、繰り返し使用することができる。
６．本発明に係る避難所用間仕切りユニット体は、真空パック技術によって包装すると、長期保管できる。
７．本発明に係る避難所用間仕切りユニット体は、段ボールの少なくとも一方の表面に、マイナスイオンを発生する着色剤、難燃剤、消臭剤、芳香剤の中から選ばれたものを一種以上組合せて塗布しておくと、使用時の居住空間の環境を好適な状態に維持できる。
８．本発明に係る避難所用間仕切り構造は、緊急時に一つの間仕切り構造を、未熟練者であっても２分程度の短時間に敷設（組立）することができる。
【発明を実施するための最良の形態】
【０００９】
以下、本発明を詳細に説明する。
本発明の第一発明に係る避難所用間仕切りユニット体は、段ボールを素材とする。段ボールは、中央部分に中芯原紙を配置し、中芯原紙の両側にライナー原紙を貼着した三層構造、またはこの三層構造のものに中芯原紙とライナー原紙を貼着した五層構造のものをいう。ライナー原紙としては、クラフトパルプを原料とした紙、ジュート紙などが使用される。中芯原紙としては、パルプ芯、古紙を原料とした特芯などが挙げられる。ライナー原紙の表面側には、機能付与処理を施したものが好ましい。機能付与処理としては、マイナスイオンを発生する着色剤、難燃剤、消臭剤、芳香剤などが挙げられ、これらの中から選ばれた一種以上を溶媒に溶解し塗布することができる。
【００１０】
本発明に係る避難所用間仕切りユニット体を構成する三層構造または五層構造の段ボールは、厚さ３〜１０ｍｍ、幅１００〜２００ｃｍ、長さ８０〜５００ｃｍの板状体を一単位体とする。段ボールの厚さが３ｍｍ未満であると強度不足となり、１０ｍｍを超えると嵩張り過ぎて、いずれも好ましくない。幅（避難場所に立設させた場合には、高さとなる。）が１００ｃｍ未満であると、間仕切りした空間の内部が他人に覗かれ、２００ｃｍ以上であると保管、輸送、敷設、解体などの際に取扱い難くなり、いずれも好ましくない。好ましい幅は、１３０ｃｍ〜１８０ｃｍである。ユニット体の長さが８０ｃｍ未満であると、間仕切りした空間を作る際に多くのユニット体を組合せる必要があり、製造、梱包、敷設、解体作業などが繁雑となり、５００ｃｍを超えると製造、梱包、保管、輸送、敷設、解体などの際に取扱い難くなり、いずれも好ましくない。
【００１１】
一単位体の段ボールには、中芯の段山と平行に、長さ方向に対して直角に、一定間隔で折り目を設ける。折り目は、一定幅で交互に谷折りおよび山折り可能に設ける。すなわち、一個置きに谷折り可能な折り目を設け、谷折り可能な折り目の間に山折り可能な折り目を設ける。この折り目は、複数の単位体を組合せて間仕切り空間を形成する際、一単位体の幅方向一端を床面に接触させ、各折り目の角度（折り目を挟んだダンボールの二面が形成する角度で、後記図１の角度αを意味する）を４５〜１２０度に開いて立設させ、多角形の一壁面の長さ調節用に機能し、使用後に解体した後に折畳む際、折畳む箇所として機能する。隣接する折り目の間隔は、２０〜５０ｃｍの範囲で選ぶのが好ましい。折り目の間隔が２０ｃｍ未満であると、折り目に部分に形成する開き角度にもよるが、床面に立設させた際に不安定になりやすく、５０ｃｍを超えると立設した際に、デッドスペースが生じやすくなり、さらに折畳んだ際に嵩張り、いずれも好ましくない。
【００１２】
次に、上記避難所用間仕切りユニット体を使用し、避難所用間仕切り構造を敷設する方法を説明する。まず、避難所用間仕切りユニット体の一単位体の幅方向一端を床面に接触させ、各折り目の角度を４５〜１２０度に開いて立設させる。避難所用間仕切りユニット体は、各折り目の角度を４５〜１２０度に開いて立設させることができるので、特許文献１に記載されているように、長さ方向の両端（上下）に凹凸を形成する作業が不要であるし、上部連結部材、下部連結部材、コーナー連結部材などは使用しないので、これら部品を作成する必要もない。また、釘などの固定具を全く使用しないので、敷設場所の床面に傷を付けることがない。避難所用間仕切り構造を敷設する際には、少なくとも三個のユニット体によって平面形状を多角形とする。多角形の中では、四角形が好適である。平面形状は四角形の場合、同じ長さのユニット体を複数枚組合せてもよいし、異なる長さのユニット体を複数組合せてもよい。異なる長さのユニット体を複数組合せることによって、広さ（大きさ）の異なる間仕切り空間を形成することができる。折れ目の角度を変えることによって、ユニット体の長さを変えることができる（後記、図１および図2、図３および図４参照）。なお、避難所用間仕切りユニット体を配置・立設させる前に、床面に着色テープなどで目印を設けるのが好ましい。
【００１３】
次いで、相互に隣り合うユニット体の長さ方向端部を、接着テープを貼着することによって接合する。接着テープを貼着する際には、細い隙間を目張りするように、全長に亘ってもよいし、一定間隔で貼着部と不貼着部とを設ける貼着方法であってもよい。接着テープの色は、ユニット体の表面の色と同色とするのが好ましいが、この色に限定されるものではない。
【００１４】
間仕切りされた居住空間の平面形状が四角形の場合、ユニット体の長さ方向端部に折戸を形成し、間仕切りされた空間部分への出入り口とする（後記、図５参照）。出入り口部分のユニット体表面の色を、他の部分とは異なる色とするのが好ましいが、異なる色とする代りに、「出入り口」という文字を付けることもできる。「出入り口」部分の外壁には、間仕切りされた空間の利用者（占有者）の氏名を記載した名札を吊り下げたり、氏名を記載したラベルを貼着したりすることもできる。
【００１５】
避難所用間仕切り構造を敷設する際、一の避難所用間仕切り空間形成用壁面を、他の間仕切り空間形成用に活用することができる（後記、図３参照）。すなわち、一の避難所用間仕切り空間を形成する壁面の一辺を活用し、これに平面コ字状にして複数のユニット体を組合せることにより、平面形状が四角形の空間が連接された間仕切り構造とすることができる。複数のユニット体の長さ方向端部が集められるＬ字型コーナー部、Ｔ字型連接部、十字型連接部などでは、複数の端部を接着テープによって接着するか、または止め具によって固定する。複数の間仕切り空間を形成する際には、他の間仕切り空間形成用壁面を活用する手法によって、壁面を形成するユニット体の使用数を減らして、多くの間仕切り空間を形成することができるし、平面形状が四角形の空間が連接された間仕切り構造を複数個、壁面を接触させて配置することもできる。
【００１６】
上記避難所用間仕切り構造を解体する場合は、敷設する際の手順とは逆に、複数の端部の接着テープを剥離するか、または固定具を取り外して複数のユニット体をそれぞれ独立させ、折り目に沿って山折りおよび谷折りし、屏風状に折畳む（後記、図６参照）。本発明に係る避難所用間仕切りユニット体は、不使用時には折畳んで体積を減らして嵩張らないように保管でき繰り返し使用することもできる。本発明に係る避難所用間仕切りユニット体は、折畳んだ状態でプラスチック製の袋に収納し、真空パック技術によって包装すると好気性細菌の繁殖を抑制できるので、長期保管できる。
【実施例】
【００１７】
以下、本発明を図面に基いて詳細に説明するが、本発明はその趣旨を超えない限り、以下の記載例に限定されるものではない。
【００１８】
図１は、本発明に係る避難所用間仕切りユニット体の一例の斜視図、図２は、図１に示したユニット体の折り目の開き角度を小さくして全体の長さを短くした状態の斜視図、図３は、本発明に係る避難所用間仕切りユニット体であって、出入り口を設けた例の斜視図、図４は、図３に示したユニット体の折り目の開き角度を小さくして全体の長さを短くし、かつ出入り口を開いた状態の斜視図、図５は、避難所用間仕切り構造の一例の斜視図、図６は、図１に示したユニット体を折畳んだ状態の斜視図である。
【００１９】
図１に示した避難所用間仕切りユニット体１は、厚さが５ｍｍの段ボールよりなり、幅（高さ）が１５０ｃｍ、図１に示した状態の長さが１８０ｃｍのものであり、折り目線の間隔が３６ｃｍのものである。折り目線は、山折り２と谷折り３とが交互に設けられている。図２は、図１に示したユニット体の折り目の開き角度を小さくして全体の長さを１３５ｃｍにしたものである。図３は、厚さが５ｍｍの段ボールよりなり、幅（高さ）が１５０ｃｍ、図１に示した状態の長さが３６０ｃｍ、折り目線の間隔が３６ｃｍのものであり、右から４本目の折れ目が不連続部６とされ、折戸４、５（出入り口）とされたものである。図４は、図３に示したユニット体の折り目の開き角度を小さくして全体の長さを２７０ｃｍとし、かつ、折戸４、５を開いた状態のものである。
【００２０】
図５は、長さが３６０ｃｍのユニット体１７枚を組合せて、６個の間仕切りされた空間８よりなる避難所用間仕切り構造７の一例を示す斜視図である。Ｌ字型コーナー部９、Ｔ字型連接部１０、十字型連接部１１などのユニット体の端部同士は、接着テープまたはプラスチック製の止め具で固定されている。また、６個の間仕切りされた空間８の外側壁面には、出入り口が形成されている。図６は、図１に示したユニット体を折畳んだ状態の斜視図であり、このように体積を減らして嵩張らないように保管できる。
【産業上の利用可能性】
【００２１】
本発明に係る避難所用間仕切りユニット体は、広い部屋（空間）を小さい区画（空間）の避難所用間仕切り構造の形成用に活用できるほか、平常時には、各種のイベントの会場設営用、例えば、展示用区画（コマ）、荷物置き場、着替え場所、備品置き場などの間仕切り用に活用できる。
【図面の簡単な説明】
【００２２】
【図１】本発明に係る避難所用間仕切りユニット体の一例の斜視図である。
【図２】図１に示したユニット体の折り目の開き角度を小さくして全体の長さを短くした状態の斜視図である。
【図３】本発明に係る避難所用間仕切りユニット体であって、出入り口を設けた例の斜視図である。
【図４】図３に示したユニット体の折り目の開き角度を小さくして全体の長さを短くし、かつ出入り口を開いた状態の斜視図である。
【図５】避難所用間仕切り構造の一例の斜視図である。
【図６】図１に示したユニット体を折畳んだ状態の斜視図である。
【符号の説明】
【００２３】
１、３１：ユニット体
２：山折り
３：谷折り
４、５：折戸
６：不連続部
７：避難所用間仕切り構造
８：間仕切りされた空間
９：Ｌ字型コーナー部
１０：Ｔ字型連接部
１１：十字型連接部
α：折り目の角度
【図１】
2006274740.tif 000003
【図２】
2006274740.tif 000004
【図３】
2006274740.tif 000005
【図４】
2006274740.tif 000006
【図５】
2006274740.tif 000007
【図６】
2006274740.tif 000008